(57)【要約】【課題】権限の無い者による、画像の書き込みを防止することができる記録媒体、画像書込システム、及び画像書込制限プログラムを得る。【解決手段】画像表示部４２は、透光性を有する一対の電極と、一対の電極の間に挟持され、画像書き込み用の入射光に応じて電気的抵抗が変化する光導電層と、一対の電極の間に所定電圧が印加された状態で光導電層に入射光が入射されることにより、当該入射光に応じた画像を表示する状態に変化し、所定電圧の印加が停止しても当該状態を維持する表示層とを含んで構成され、スイッチ部４４は一対の電極への所定電圧の印加及び未印加を切り替え、コネクタ２６Ｂは所定信号を受信し、スイッチ制御部４８はコネクタ２６Ｂにより所定信号が受信されている場合に一対の電極に所定電圧を印加し、コネクタ２６Ｂにより所定信号が受信されていない場合に一対の電極への所定電圧の印加を未印加とするようにスイッチ部４４を制御する。【選択図】図１
2009075247.tif 000002
【特許請求の範囲】
【請求項１】
少なくとも一方が透光性を有する一対の電極と、
前記一対の電極の間に挟持され、前記透光性を有する電極側からの画像書き込み用の入射光に応じて電気的抵抗が変化する光導電層と、
前記透光性を有する電極と前記光導電層との間に挟持され、前記一対の電極の間に所定電圧が印加された状態で前記光導電層に前記入射光が入射されることにより、当該入射光に応じた画像を表示する状態に変化し、前記所定電圧の印加が停止しても当該状態を維持する表示層と、
前記一対の電極への前記所定電圧の印加及び未印加を切り替える切替手段と、
所定信号を受信するための受信手段と、
前記受信手段により前記所定信号が受信されている場合に前記一対の電極に前記所定電圧を印加し、前記受信手段により前記所定信号が受信されていない場合に前記一対の電極への前記所定電圧の印加を未印加とするように前記切替手段を制御する制御手段と、
を備えた記録媒体。
【請求項２】
自身に画像書き込みを行うことが予め許可された画像書込装置に固有の識別情報が予め記憶された記憶手段を更に備え、
前記制御手段は、前記受信手段により前記所定信号が受信されており、かつ当該所定信号が前記記憶手段に記憶されている識別情報を表すものである場合のみ、前記一対の電極に前記所定電圧を印加するように前記切替手段を制御する請求項１記載の記録媒体。
【請求項３】
請求項２に記載の記録媒体、前記記録媒体に画像書き込みを行うことが予め許可された画像書込装置、及び前記記録媒体と前記画像書込装置とを管理するサーバを有する画像書込システムであって、
前記記録媒体の前記記憶手段は、当該記憶手段を備えた前記記録媒体を特定するための特定情報が更に予め記憶され、
前記サーバは、
前記特定情報と当該特定情報により特定される前記記録媒体が備えた前記記憶手段に記憶されている識別情報とが管理対象とする記録媒体毎に関連付けられて記憶されたサーバ記憶手段と、
前記画像書込装置から前記特定情報が受信された場合に、当該特定情報に関連付けられて前記サーバ記憶手段に記憶されている前記識別情報を前記画像書込装置に送信するように制御するサーバ制御手段と、
を備え、
前記画像書込装置は、
前記記録媒体の前記記憶手段に記憶されている前記特定情報を読み出す読出手段と、
前記読出手段によって前記特定情報が読み出された場合に、当該特定情報を前記サーバに送信し、これに応じて前記サーバから送信された前記識別情報を受信して、前記記録媒体に送信するように制御する画像書込装置制御手段と、
を備えた画像書込システム。
【請求項４】
前記画像書込装置制御手段は、前記サーバ記憶手段により関連付けられて記憶されている前記特定情報及び前記識別情報を受信するように更に制御し、
前記画像書込装置は、
前記画像書込制御手段による制御によって前記サーバから受信した前記特定情報及び前記識別情報を記憶する画像書込装置記憶手段を更に備えた請求項３記載の画像書込システム。
【請求項５】
少なくとも一方が透光性を有する一対の電極と、前記一対の電極の間に挟持され、前記透光性を有する電極側からの画像書き込み用の入射光に応じて電気的抵抗が変化する光導電層と、前記透光性を有する電極と前記光導電層との間に挟持され、前記一対の電極の間に所定電圧が印加された状態で前記光導電層に前記入射光が入射されることにより、当該入射光に応じた画像を表示する状態に変化し、前記所定電圧の印加が停止しても当該状態を維持する表示層と、を有する記録媒体への画像の書き込みを制限する画像書込制限プログラムであって、
所定信号を受信する受信ステップと、
前記受信ステップにより前記所定信号が受信されている場合に前記一対の電極に前記所定電圧を印加し、前記受信ステップにより前記所定信号が受信されていない場合に前記一対の電極への前記所定電圧の印加を未印加とするように制御する制御ステップと、
をコンピュータに実行させる画像書込制限プログラム。
【発明の詳細な説明】
【技術分野】
【０００１】
本発明は、記録媒体、画像書込システム、及び画像書込制限プログラムに関する。
【背景技術】
【０００２】
特許文献１には、ＩＤ（Ｉｄｅｎｔｉｆｉｃａｔｉｏｎ）カードの再利用を可能とすることを目的として、磁場及び温度等をＩＤカードの表示部や記録部に加えることにより、当該表示部により表示されている情報や記録部に記録されている情報を書き換える技術が開示されている。
【特許文献１】特開２０００−２６３９７３号公報
【発明の開示】
【発明が解決しようとする課題】
【０００３】
本発明は、権限の無い者による、画像の書き込みを防止することができる記録媒体、画像書込システム、及び画像書込制限プログラムを提供することを目的とする。
【課題を解決するための手段】
【０００４】
上記目的を達成するために、請求項１に記載の記録媒体は、少なくとも一方が透光性を有する一対の電極と、前記一対の電極の間に挟持され、前記透光性を有する電極側からの画像書き込み用の入射光に応じて電気的抵抗が変化する光導電層と、前記透光性を有する電極と前記光導電層との間に挟持され、前記一対の電極の間に所定電圧が印加された状態で前記光導電層に前記入射光が入射されることにより、当該入射光に応じた画像を表示する状態に変化し、前記所定電圧の印加が停止しても当該状態を維持する表示層と、前記一対の電極への前記所定電圧の印加及び未印加を切り替える切替手段と、所定信号を受信するための受信手段と、前記受信手段により前記所定信号が受信されている場合に前記一対の電極に前記所定電圧を印加し、前記受信手段により前記所定信号が受信されていない場合に前記一対の電極への前記所定電圧の印加を未印加とするように前記切替手段を制御する制御手段と、を備えている。
【０００５】
また、請求項２に記載の発明は、請求項１の発明において、自身に画像書き込みを行うことが予め許可された画像書込装置に固有の識別情報が予め記憶された記憶手段を更に備え、前記制御手段が、前記受信手段により前記所定信号が受信されており、かつ当該所定信号が前記記憶手段に記憶されている識別情報を表すものである場合のみ、前記一対の電極に前記所定電圧を印加するように前記切替手段を制御するものである。
【０００６】
一方、上記目的を達成するために、請求項３に記載の画像書込システムは、請求項２に記載の記録媒体、前記記録媒体に画像書き込みを行うことが予め許可された画像書込装置、及び前記記録媒体と前記画像書込装置とを管理するサーバを有する画像書込システムであって、前記記録媒体の前記記憶手段は、当該記憶手段を備えた前記記録媒体を特定するための特定情報が更に予め記憶され、前記サーバは、前記特定情報と当該特定情報により特定される前記記録媒体が備えた前記記憶手段に記憶されている識別情報とが管理対象とする記録媒体毎に関連付けられて記憶されたサーバ記憶手段と、前記画像書込装置から前記特定情報が受信された場合に、当該特定情報に関連付けられて前記サーバ記憶手段に記憶されている前記識別情報を前記画像書込装置に送信するように制御するサーバ制御手段と、を備え、前記画像書込装置は、前記記録媒体の前記記憶手段に記憶されている前記特定情報を読み出す読出手段と、前記読出手段によって前記特定情報が読み出された場合に、当該特定情報を前記サーバに送信し、これに応じて前記サーバから送信された前記識別情報を受信して、前記記録媒体に送信するように制御する画像書込装置制御手段と、を備えている。
【０００７】
また、請求項４に記載の発明は、請求項３記載の発明において、前記画像書込装置制御手段が、前記サーバ記憶手段により関連付けられて記憶されている前記特定情報及び前記識別情報を受信するように更に制御し、前記画像書込装置が、前記画像書込制御手段による制御によって前記サーバから受信した前記特定情報及び前記識別情報を記憶する画像書込装置記憶手段を更に備えている。
【０００８】
一方、上記目的を達成するために、請求項５に記載の画像書込制限プログラムは、少なくとも一方が透光性を有する一対の電極と、前記一対の電極の間に挟持され、前記透光性を有する電極側からの画像書き込み用の入射光に応じて電気的抵抗が変化する光導電層と、前記透光性を有する電極と前記光導電層との間に挟持され、前記一対の電極の間に所定電圧が印加された状態で前記光導電層に前記入射光が入射されることにより、当該入射光に応じた画像を表示する状態に変化し、前記所定電圧の印加が停止しても当該状態を維持する表示層と、を有する記録媒体への画像の書き込みを制限する画像書込制限プログラムであって、所定信号を受信する受信ステップと、前記受信ステップにより前記所定信号が受信されている場合に前記一対の電極に前記所定電圧を印加し、前記受信ステップにより前記所定信号が受信されていない場合に前記一対の電極への前記所定電圧の印加を未印加とするように制御する制御ステップと、をコンピュータに実行させるものである。
【発明の効果】
【０００９】
請求項１、請求項３、及び請求項５に記載の発明によれば、権限の無い者による、画像の書き込みを防止することができる、という効果が得られる。
【００１０】
また、請求項２に記載の発明によれば、本発明を適用しない場合に比較して、より確実に画像の書き込みを防止することができる、という効果が得られる。
【００１１】
さらに、請求項４に記載の発明によれば、本発明を適用しない場合に比較して、より簡易に画像の書き込みを防止することができる、という効果が得られる。
【発明を実施するための最良の形態】
【００１２】
以下、図面を参照して、本発明の実施の形態について詳細に説明する。なお、本実施の形態では、本発明を、光が照射されることで画像が形成される光書き込み型の電子ペーパーに適用した場合について説明する。
［第１の実施の形態］
まず、図１を参照して本実施の形態に係る画像書込装置１０、及び電子ペーパー４０の電気系の要部構成を説明する。
【００１３】
同図に示すように、本実施の形態に係る画像書込装置１０は、画像書込用電源部１２、記憶部１４、スイッチ用電源部１６、操作部１８、制御部２０、コネクタ２２Ａ、コネクタ２４Ａ、コネクタ２６Ａ、及びコネクタ２８Ａを含んで構成されている。
【００１４】
画像書込用電源部１２は、コネクタ２２Ａ及びコネクタ２４Ａと電気的に接続されており、電子ペーパー４０へ印加するための所定電圧をコネクタ２２Ａとコネクタ２４Ａとの間に印加する。
【００１５】
操作部１８は、画像書込装置１０の動作状態等を示す情報等、各種情報を表示する表示パネルや、ユーザによって操作される各種スイッチ等が備えられている。なお、当該スイッチを操作することによって、画像書込装置１０により電子ペーパー４０に画像を書き込む画像書込処理の実行指示を入力することができる。
【００１６】
スイッチ用電源部１６は、コネクタ２８Ａと電気的に接続されており、電子ペーパー４０に備えられている後述するスイッチ部４４を閉状態とするために必要な所定電圧を出力する。
【００１７】
記憶部１４は、各種プログラム、電子ペーパー４０に表示させる画像を示す画像情報、画像書込装置１０に固有の識別情報等を記憶しているメモリである。
【００１８】
制御部２０は、操作部１８と電気的に接続されており、当該操作部１８を介してユーザにより入力される上記画像書込処理等の各種処理の実行指示を受け付ける。
【００１９】
なお、本実施の形態に係る制御部２０は、コネクタ２６Ａと記憶部１４とも電気的に接続されており、電子ペーパー４０に対して上記画像書込処理を実行する際に、記憶部１４に記憶されている上記識別情報を読み出し、当該識別情報を示す信号をコネクタ２６Ａへ出力する。
【００２０】
また、本実施の形態に係る制御部２０は、スイッチ用電源部１６及び画像書込用電源部１２とも電気的に接続されており、電子ペーパー４０に対して上記画像書込処理を実行する際に、スイッチ用電源部１６へのスイッチ部４４を閉状態とするための所定電圧の出力を指示する制御信号を出力する一方、画像書込用電源部１２への電子ペーパー４０に画像を書き込むための上記所定電圧の印加を指示する制御信号を出力する。そして、これと同期させた状態で、画像書込装置１０に備えられている光照射部に対し、電子ペーパー４０に表示させるべき画像を示す光を電子ペーパー４０へ照射させる制御を行う。
【００２１】
一方、本実施の形態に係る電子ペーパー４０は、画像表示部４２、スイッチ部４４、記憶部４６、スイッチ制御部４８、コネクタ２２Ｂ、コネクタ２４Ｂ、コネクタ２６Ｂ、及びコネクタ２８Ｂを含んで構成されている。
【００２２】
画像表示部４２は、画像書込用電源部１２から上記所定電圧が印加された状態で、上記光が照射されることで、上記画像を表示する。
【００２３】
ここで、本実施の形態に係る画像表示部４２の詳細を、図２に示される断面図を参照して説明する。
【００２４】
本実施の形態に係る画像表示部４２は、基板６０Ａに透光性を有する電極６２Ａを備えると共に、基板６０Ｂに透光性を有する電極６２Ｂを備えており、一対の電極６２Ａ，６２Ｂの間に挟持され、電極６２Ｂからの画像書き込み用の入射光に応じて電気的抵抗が変化する光導電層６４と、電極６２Ａと光導電層６４との間に挟持され、一対の電極６２Ａ，６２Ｂの間に所定電圧が印加された状態で光導電層６４に入射光が入射されることにより、当該入射光に応じた画像を表示する状態に変化し、上記所定電圧の印加が停止しても当該状態を維持する表示層６６とを含んで構成されている。
【００２５】
基板６０Ａ，６０Ｂは、透光性と絶縁性とを有しているＰＥＴ（Ｐｏｌｙｅｔｈｙｌｅｎｅ  Ｔｅｒｅｐｈｔｈａｌａｔｅ）で形成されている。なお、当該基板６０Ａ，６０Ｂは、ガラス及びシリコン等の無機シート、又はポリスルホン、ポリエーテルスルホン、ポリカーボネート、及びポリエチレンナフタレート等の高分子フィルムを用いて形成してもよい。なお、基板６０Ａ側が電子ペーパー４０の表側、基板６０Ｂ側が電子ペーパー４０の裏側となる。
【００２６】
一対の電極６２Ａ，６２Ｂは、ＩＴＯ（Ｉｎｄｉｕｍ−Ｔｉｎ  Ｏｘｉｄｅ）で形成されている。なお、ＩＴＯ以外にも、Ａｕなどの金属膜、ＳｎＯ2、ＺｎＯなど酸化物、ポリピロールなどの導電性高分子の膜などの電気導電体を用いてもよい。また、本実施の形態に係る電極６２Ａは基板６０Ａ上に、電極６２Ｂは基板６０Ｂ上にスパッタリングされて形成されているが、必ずしもスパッタリングによる必要はなく、印刷、ＣＶＤ、蒸着などにより形成してもよい。なお、電極６２Ａはスイッチ部４４に電気的に接続されており、電極６２Ｂはコネクタ２２Ｂに電気的に接続される。
【００２７】
光導電層６４は、所定の波長の光を吸収すると共に、光導電層６４に形成された電界下で当該所定の波長の光が入射されると、内部光電効果による自由電子の移動が発生し、入射してきた光の強度に応じて電気的抵抗が小さくなる。なお、光導電層６４に照射される光としては、当該光導電層６４が光吸収感度を有する波長領域の光が用いられる。
【００２８】
表示層６６は、メモリ性の液晶であるコレステリック液晶及び透明樹脂からなる自己保持型液晶複合体の液晶層で構成されている。コレステリック液晶は、入射光のうち特定の波長の光の反射・透過状態を変調する機能を有し、液晶分子がらせん状によじれて配向しており、らせん軸方向から入射した光のうち、らせんピッチに依存して特定の波長の光を干渉反射する。さらに、コレステリック液晶は、表示層６６に形成される電界の強度によって配向が変化し、当該配向の変化によって入射光の反射状態を変化させる。
【００２９】
ここで、画像表示部４２に光が照射されることで、画像表示部４２に画像が形成される過程を説明する。
【００３０】
電極６２Ａに電圧が印加されると共に光が照射されると、光の光量に応じて光導電層６４の電気特性分布としての抵抗分布が変化する。この光導電層６４の電気抵抗分布の変化によって、結果として表示層６６に形成される電界の強度も光の光量に応じて変化し、表示層６６に含まれるコレステリック液晶の状態が変化して光学的特性分布が変化する。この変化によって、照射された光に応じた画像が表示層６６に書込まれる。この表示層６６に書込まれた画像は、例えば、太陽光や、蛍光灯等から照射される光が表示層６６で反射することで視認される。
【００３１】
一方、図１に示されるスイッチ部４４は、一対の電極６２Ａ，６２Ｂへの所定電圧の印加及び未印加を切り替える。
【００３２】
なお、本実施の形態に係るスイッチ部４４は、ＦＥＴ（Ｆｉｅｌｄ  Ｅｆｆｅｃｔ  Ｔｒａｎｓｉｓｔｏｒ）により構成されており、ソース端子がコネクタ２４Ｂと電気的に接続されており、ドレイン端子が画像表示部４２の電極６２Ａと電気的に接続されており、ゲート端子がスイッチ制御部４８と電気的に接続されている。そして、コネクタ２６Ｂとコネクタ２６Ａとが接続され、コネクタ２８Ｂとコネクタ２８Ａとが接続され、スイッチ部４４のゲート端子に電圧が印加されると、スイッチ部４４は閉状態とされる。さらに、コネクタ２２Ｂとコネクタ２２Ａとが接続されると共にコネクタ２４Ｂとコネクタ２４Ａとが接続され、且つスイッチ部４４が閉状態とされることで、画像表示部４２の一対の電極６２Ａ，６２Ｂの間に画像書込用電源部１２から上記所定電圧が印加される。
【００３３】
また、記憶部４６は、各種プログラムや、一例として図３に示される、電子ペーパー４０に画像書き込みを行うことが予め許可された画像書込装置１０に固有の識別情報が記憶されているメモリであり、スイッチ制御部４８に接続されている。なお、図３では、識別情報が３つのみ示されているが、識別情報の数は、これに限らないことは言うまでもない。
【００３４】
また、スイッチ制御部４８は、所定信号を受信するためのコネクタ２６Ｂ、スイッチ部４４のゲート端子、及びコネクタ２８Ｂにも電気的に接続されている。スイッチ制御部４８は、コネクタ２６Ｂとコネクタ２６Ａとが接続されることで、所定信号を受信することができる。
【００３５】
次に、図４を参照して、本実施の形態に係る電子ペーパー４０の作用を説明する。
【００３６】
図４は、電子ペーパー４０に備えられている各コネクタと画像書込装置１０に備えられている各コネクタが機械的、且つ電気的に接続された場合に、スイッチ制御部４８によって実行される画像書込制限プログラムの処理の流れを示すフローチャートであり、当該プログラムは、記憶部４６の所定領域に予め記憶されている。なお、当該プログラムの開始時は、スイッチ部４４は開状態とされている。
【００３７】
まず、ステップ１００では、信号を受信したか否かを判定し、肯定判定となった場合はステップ１０２へ移行する一方、否定判定となった場合は待機状態となる。
【００３８】
ステップ１０２では、コネクタ２６Ｂを介して受信されている信号が、記憶部４６に記憶されている識別情報を示しているか否かを判定することにより、当該信号が正当な識別情報を示しているか否かを判定し、肯定判定となった場合はステップ１０４へ移行する。
【００３９】
ステップ１０４では、スイッチ用電源部１６から出力された電圧をスイッチ部４４のゲート端子に印加し、スイッチ部４４を閉状態とする。これにより、画像書込用電源部１２から出力される画像書込用の所定電圧が画像表示部４２に備えられている電極６２Ａ，６２Ｂ間に印加される。そして、制御部２０が画像情報を示す光を画像表示部４２に照射することで、画像表示部４２に画像情報を示す画像が表示される。
【００４０】
次のステップ１０６では、識別情報を示す信号の受信が停止したか否かを判定し、肯定判定となった場合はステップ１０８へ移行する一方、否定判定となった場合は待機状態となる。
【００４１】
ステップ１０８では、スイッチ部４４のゲート端子への電圧の印加を停止し、スイッチ部４４を開状態とし、本プログラムを終了する。
【００４２】
一方、上記ステップ１００によって、否定判定となった場合は、ステップ１１０へ移行し、エラー信号を制御部２０に対して送信し、本プログラムを終了する。なお、制御部２０は、エラー信号を受信すると、接続されている電子ペーパー４０に対して画像書込処理ができないことを示す情報を操作部１８の表示パネルに表示させる。
［第２の実施の形態］
本第２の実施の形態では、本発明の画像書込システム９０の形態例について説明する。
【００４３】
まず、図５を参照して、第２の実施の形態に係る画像書込システム９０の構成を説明する。なお、図５における図１と同一の構成要素については図１と同一の符号を付して、その説明を省略する。
【００４４】
本第２の実施の形態に係る画像書込システム９０は、画像表示部４２に所有者を識別するための顔写真を表示することでＩＤカードとして適用される電子ペーパー４０’、電子ペーパー４０’に画像書き込みを行うことが予め許可された画像書込装置１０’、及び電子ペーパー４０’と画像書込装置１０’とを管理するサーバ８０を含んで構成されている。なお、画像書込装置１０’と、サーバ８０とは、通信回線７０を介して接続されることで、情報の授受をすることができる。
【００４５】
本第２の実施の形態に係る電子ペーパー４０’は、ＩＣ（Ｉｎｔｅｇｒａｔｅｄ  Ｃｉｒｃｕｉｔ）チップ５０を備えている。
【００４６】
ＩＣチップは、ＩＤカードである電子ペーパー４０’の所有者の身分を示す各種情報と、電子ペーパー４０’を特定するための特定情報とを記憶しており、これらの情報は、非接触で読み取られることができる。
【００４７】
サーバ８０は、外部インタフェース８２、記憶部８４、及び制御部８６を備えている。
【００４８】
外部インタフェース８２は、サーバ８０と通信回線７０に接続された他の機器との各種情報の授受を司る。なお、外部インタフェース８２は、通信回線７０を介して画像書込装置１０’に備えられている外部インタフェース３２と接続されている。
【００４９】
記憶部８４は、一例として図６に示される、電子ペーパー４０’の特定情報と当該特定情報により特定される電子ペーパー４０’が備えた記憶部４６に記憶されている識別情報とが、管理対象とする電子ペーパー４０’毎に関連付けられて記憶されている。
【００５０】
制御部８６は、外部インタフェース８２、及び記憶部８４に電気的に接続されており、外部インタフェース８２を介して画像書込装置１０’から電子ペーパー４０’の特定情報が受信された場合に、当該特定情報に関連付けられて記憶部８４に記憶されている識別情報を、外部インタフェース８２を介して画像書込装置１０’に送信する。
【００５１】
本第２の実施の形態に係る画像書込装置１０’は、読出用アンテナ３０、及び外部インタフェース３２を備えている。
【００５２】
読出用アンテナ３０は、制御部２０’と電気的に接続されており、電子ペーパー４０’に備えられているＩＣチップ５０に記憶されている特定情報を、非接触で読み出すためのものであり、制御部２０’は、読出用アンテナ３０を介して当該特定情報を示す信号を取得することができる。
【００５３】
また、外部インタフェース３２は、画像書込装置１０’と通信回線７０に接続された他の機器との各種情報の授受を司る。
【００５４】
次に、本第２の実施の形態に係る画像書込システム９０の作用を説明する。
【００５５】
まず、図７を参照して画像書込装置１０’の作用を説明する。
【００５６】
図７は、電子ペーパー４０’に備えられている各コネクタと画像書込装置１０’に備えられている各コネクタが機械的、且つ電気的に接続され、電子ペーパー４０’に画像を書き込む場合に、制御部２０’によって実行される識別情報送信プログラムの処理の流れを示すフローチャートであり、当該プログラムは、画像書込装置１０’に備えられている記憶部１４の所定領域に予め記憶されている。
【００５７】
まず、ステップ２００では、読出用アンテナ３０によって、ＩＣチップ５０に記憶されている特定情報の読み出しを実行する。
【００５８】
次のステップ２０２では、ステップ２００で実行された処理によって読み出した電子ペーパー４０’の特定情報を示す信号を、外部インタフェース３２を介してサーバ８０へ送信する。
【００５９】
次のステップ２０４では、外部インタフェース３２を介して、サーバ８０から所定信号を受信したか否かを判定し、肯定判定となった場合はステップ２０６へ移行する一方、否定判定となった場合は待ち状態となる。
【００６０】
ステップ２０６では、サーバ８０から受信した信号が電子ペーパー４０’の識別情報を示す信号であるか否かを判定し、肯定判定となった場合はステップ２０８へ移行する一方、否定判定となった場合はステップ２１０へ移行する。
【００６１】
ステップ２０８では、サーバ８０から受信した識別信号を示す信号を電子ペーパー４０’へ送信し、本プログラムを終了する。なお、ステップ２０８で実行された処理によって、識別情報が電子ペーパー４０’に送信されると、電子ペーパー４０’では、図４に示される画像書込制限プログラムが実行される。
【００６２】
ステップ２１０では、ステップ２００で実行された処理によって読み出した特定情報に関連付けられた識別情報が、サーバ８０に記憶されていないことを示すエラー表示を操作部１８の表示パネルに表示させ、本プログラムを終了する。
【００６３】
次に、図８を参照して、サーバ８０の作用を説明する。
【００６４】
図８は、図７のステップ２０２で実行された処理によって、サーバ８０が画像書込装置１０’から電子ペーパー４０’の特定情報を示す信号を受信した場合に、制御部８６で実行される識別情報読出プログラムの処理の流れを示すフローチャートであり、当該プログラムは、サーバ８０に備えられている記憶部８４の所定領域に予め記憶されている。
【００６５】
まず、ステップ３００では、画像書込装置１０’から送信された電子ペーパー４０’の特定情報に関連付けられた識別情報が、記憶部８４に記憶されているか否かを判定し、肯定判定となった場合はステップ３０２へ移行する一方、否定判定となった場合はステップ３０４へ移行する。
【００６６】
ステップ３０２では、画像書込装置１０’から送信された特定情報に関連付けられた識別情報を記憶部８４から読み出し、読み出した識別情報を示す信号を外部インタフェース８２を介して画像書込装置１０’に送信し、本プログラムを終了する。
【００６７】
ステップ３０４では、画像書込装置１０’から送信された特定情報に関連付けられた識別情報が、記憶部８４に記憶されていないことを示すエラー信号を、外部インタフェース８２を介して画像書込装置１０’に送信し、本プログラムを終了する。
【００６８】
以上、本発明を上記各実施の形態を用いて説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【００６９】
また、上記各実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記各実施の形態に示される全構成要件から幾つかの構成要件が削除されても、効果が得られる限りにおいて、この幾つかの構成要件が削除された構成が発明として抽出され得る。
【００７０】
例えば、上記各実施の形態では、画像表示部４２に裏側から画像情報に基づいた光を照射することで、画像情報を示す画像を表示させるとして説明したが、本発明はこれに限定されるものではなく、表側から画像情報に基づいた光を照射することで、画像情報を示す画像を表示する形態としてもよい。なお、当該形態の場合、裏側に配置されている電極６２Ｂは透光性を有していなくてもよい。
【００７１】
また、第２の実施の形態では、制御部２０’が、電子ペーパー４０’の特定情報を読み出す毎に、サーバ８０から受信した識別信号を示す信号を電子ペーパー４０’へ送信するとしているが、本発明はこれに限定されるものではなく、制御部２０’が、サーバ８０が備える記憶部８４により関連付けられて記憶されている特定情報及び識別情報を受信するように制御し、当該受信した特定情報及び識別情報を記憶部１４に記憶し、電子ペーパー４０’から特定情報を読み出す毎に、当該特定情報と関連付けられた識別情報を記憶部１４から読み出し、当該識別情報を示す信号を電子ペーパー４０’に送信する形態としてもよい。
【００７２】
また、第２の実施の形態では、記憶部８４は、電子ペーパー４０’の特定情報と識別情報のみを関連付けて記憶しているが、本発明はこれに限定されるものではなく、特定情報に加えて、他の情報を識別情報に関連付けて記憶する形態としてもよい。他の情報は、例えば、電子ペーパー４０’が接続されている画像書込装置１０’に固有の識別情報、又は画像書込装置１０’に備えられている操作部１８を介して入力されることのできる予め定められたパスワード等である。なお、他の情報を画像書込装置１０’に固有の識別情報とした場合は、電子ペーパー４０’へ画像の書き込みができる画像書込装置１０’が制限され、他の情報をパスワードとした場合は、電子ペーパー４０’へ画像の書き込みができるユーザが制限される。
【００７３】
その他、上記各実施の形態で説明した画像書込装置の構成（図１参照）、電子ペーパーの構成（図１、及び図２参照）、画像書込システムの構成（図５参照。）は一例であり、本発明の主旨を逸脱しない範囲内において不要な部分を削除したり、新たな部分を追加したりすることができることは言うまでもない。
【００７４】
また、上記各実施の形態で説明した各プログラムの処理の流れ（図４、図７、及び図８参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００７５】
【図１】第１の実施の形態に係る画像書込装置、及び電子ペーパーの電気系の要部構成を示す図である。
【図２】第１の実施の形態に係る電子ペーパーに備えられている画像表示部の断面図である。
【図３】第１の実施の形態に係る電子ペーパーに備えられている記憶部に記憶されている識別情報を示す模式図である。
【図４】第１の実施の形態に係る画像書込制限プログラムの処理の流れを示すフローチャートである。
【図５】第２の実施の形態に係る画像書込システムの電気系の要部構成を示す図である。
【図６】第２の実施の形態に係るサーバに備えられている記憶部に記憶されている、特定情報と識別情報との関連付けを示す模式図である。
【図７】第２の実施の形態に係る識別情報送信プログラムの処理の流れを示すフローチャートである。
【図８】第２の実施の形態に係る識別情報読出プログラムの処理の流れを示すフローチャートである。
【符号の説明】
【００７６】
１０、１０’    画像書込装置
１４    記憶部（画像書込装置記憶手段）
２０、２０’    制御部（画像書込装置制御手段）
２６Ｂ    コネクタ（受信手段）
３０    読出用アンテナ（読出手段）
４０、４０’    電子ペーパー
４４    スイッチ部（切替手段）
４６    記憶部（記憶手段）
４８    スイッチ制御部（制御手段）
６２Ａ，６２Ｂ    電極
６４    光導電層
６６    表示層
８０    サーバ
８４    記憶部（サーバ記憶手段）
８６    制御部（サーバ制御手段）
９０    画像書込システム
【図１】
2009075247.tif 000003
【図２】
2009075247.tif 000004
【図３】
2009075247.tif 000005
【図４】
2009075247.tif 000006
【図５】
2009075247.tif 000007
【図６】
2009075247.tif 000008
【図７】
2009075247.tif 000009
【図８】
2009075247.tif 000010